(57)【要約】      （修正有）【課題】スライド量を小さくし、使い勝手の良いスライド式容器を提供する。【解決手段】第１収納部を有する本体と、上記本体とスライド式に係合し、上記第１収納部を開閉する蓋とからなり、上記蓋をスライドさせて閉じると、上記蓋部が上記スリットを移動して上記第１収納部の上方の開口を覆って閉じ、上記第２収納部が上記収容部内に収まり、上記蓋をスライドさせて開けると、上記蓋部が上記スリットを通って上記収容部へと移動して上記第１収納部の上方の開口が開けられ、上記本体側面の開口から上記第２収納部が上記収容部から上記本体の外へと移動される。【選択図】図１
2010184720.tif 000002
【特許請求の範囲】
【請求項１】
第１収納部を有する本体と、上記本体とスライド式に係合し、上記第１収納部を開閉する蓋とからなり、
上記蓋は第２収納部と、上記第１収納部の上部を覆って閉じるように、上記第２収納部の側面の上端から水平方向に延伸して形成されている蓋部とから構成され、
上記本体は上記第１収納部と、上記第１収納部と隣接して設けられた、上記蓋の第２収納部が収まる収容部とから構成され、
上記本体の略中央には上記第１収納部と上記収容部とを仕切る壁が設けられ、上記壁の上部には上記蓋部が移動するスリットが設けられ、上記本体の側面の、上記収容部の上記壁とは反対側となる部分には上記第２収納部が出し入れされる開口が設けられ、上記本体の上面の上記第１収納部の上方となる部分は開口が設けられており、
上記蓋をスライドさせて閉じると、上記蓋部が上記スリットを移動して上記第１収納部の上方の開口を覆って閉じ、上記第２収納部が上記収容部内に収まり、
上記蓋をスライドさせて開けると、上記蓋部が上記スリットを通って上記収容部へと移動して上記第１収納部の上方の開口が開けられ、上記本体側面の開口から上記第２収納部が上記収容部から上記本体の外へと移動されることを特徴とするスライド式容器。
【請求項２】
上記収容部の上面に鏡を設けたことを特徴とする請求項１に記載のスライド式容器。
【発明の詳細な説明】
【技術分野】
【０００１】
本発明は、蓋をスライドさせて容器の開閉を行うスライド式容器に関する。
【背景技術】
【０００２】
化粧料等を収納する容器の１つとして、蓋あるいは収納部を本体からスライドさせることにより、収納物を取り出すスライド式容器が用いられている。そして、これらのスライド式容器の収納部には仕切りを設けて複数の収納物、例えば、化粧料と上記化粧料を付けて顔に塗るためのチップやブラシ等の化粧用具等を収納する構造が用いられている。
【０００３】
このようなスライド式容器の具体例として、鏡を設けた蓋をスライドさせるコンパクト容器（特許文献１参照）、あるいは収納部を本体からスライドさせるコンパクト容器（特許文献２を参照）がある。
【先行技術文献】
【特許文献】
【０００４】
【特許文献１】特開２００８−２２８９８４号公報
【特許文献２】特開２００６−２６３１８８号公報
【発明の概要】
【発明が解決しようとする課題】
【０００５】
従来のスライド式容器は、収納物を取り出す、あるいは収納物を使用する際に、蓋あるいは収納部をスライドさせるスライド量が大きく、スライドさせて完全に蓋を開けた状態にすると、容器全体の大きさは、閉じた状態の容器の倍近くとなり、持ち難く、不安定になるという問題があった。
【０００６】
そこで、本発明は上記問題を解決するために、スライド量を小さくし、使い勝手の良いスライド式容器を提供することを目的とする。
【課題を解決するための手段】
【０００７】
本発明のスライド式容器は、第１収納部を有する本体と、上記本体とスライド式に係合し、上記第１収納部を開閉する蓋とからなり、上記蓋は第２収納部と、上記第１収納部の上部を覆って閉じるように、上記第２収納部の側面の上端から水平方向に延伸して形成されている蓋部とから構成され、上記本体は上記第１収納部と、上記第１収納部と隣接して設けられた、上記蓋の第２収納部が収まる収容部とから構成され、上記本体の略中央には上記第１収納部と上記収容部とを仕切る壁が設けられ、上記壁の上部には上記蓋部が移動するスリットが設けられ、上記本体の側面の、上記収容部の上記壁とは反対側となる部分には上記第２収納部が出し入れされる開口が設けられ、上記本体の上面の上記第１収納部の上方となる部分は開口が設けられており、上記蓋をスライドさせて閉じると、上記蓋部が上記スリットを移動して上記第１収納部の上方の開口を覆って閉じ、上記第２収納部が上記収容部内に収まり、上記蓋をスライドさせて開けると、上記蓋部が上記スリットを通って上記収容部へと移動して上記第１収納部の上方の開口が開けられ、上記本体側面の開口から上記第２収納部が上記収容部から上記本体の外へと移動されることを特徴とする。
【０００８】
さらに利便性を高めるために、上記収容部の上面に鏡を設けたり、上記第２収納部の底面に孔を設けたり、上記第１収納部の底面に２つのリブを所定の間隔で設置することもできる。
【発明の効果】
【０００９】
本発明のスライド式容器は、第１収納部を有する本体と、上記本体とスライド式に係合し、上記第１収納部を開閉する蓋とからなり、上記蓋は第２収納部と、上記第１収納部の上部を覆って閉じるように、上記第２収納部の側面の上端から水平方向に延伸して形成されている蓋部とから構成され、上記本体は上記第１収納部と、上記第１収納部と隣接して設けられた、上記蓋の第２収納部が収まる収容部とから構成され、上記本体の略中央には上記第１収納部と上記収容部とを仕切る壁が設けられ、上記壁の上部には上記蓋部が移動するスリットが設けられ、上記本体の側面の、上記収容部の上記壁とは反対側となる部分には上記第２収納部が出し入れされる開口が設けられ、上記本体の上面の上記第１収納部の上方となる部分は開口が設けられており、上記蓋をスライドさせて閉じると、上記蓋部が上記スリットを移動して上記第１収納部の上方の開口を覆って閉じ、上記第２収納部が上記収容部内に収まり、上記蓋をスライドさせて開けると、上記蓋部が上記スリットを通って上記収容部へと移動して上記第１収納部の上方の開口が開けられ、上記本体側面の開口から上記第２収納部が上記収容部から上記本体の外へと移動されることにより、スライド量が容器の約半分の長さになり、蓋を開けた状態でも全体の大きさが小さくなるので、使用時の安定性が高まり、使い勝手が向上する。
【００１０】
上記収容部の上面に鏡を設けることにより、コンパクトとして使用することが可能となり、上記第２収納部の底面に孔を設けたり、上記第１収納部の底面に２つのリブを所定の間隔で設置することにより、収納部に収納した化粧小物等を取り出しやすくなる。
【図面の簡単な説明】
【００１１】
【図１】スライド式容器の斜視図であり、（ａ）が閉じた状態を示し、（ｂ）が開いた状態を示す。
【図２】スライド式容器の断面図であり、（ａ）が閉じた状態を示し、（ｂ）が開いた状態を示す。
【図３】スライド式容器の本体の断面図である。
【図４】スライド式容器の蓋の断面図である。
【図５】本体の上面をカットした状態のスライド式容器の平面図である。
【図６】別の形態のスライド式容器の斜視図である。
【発明を実施するための形態】
【００１２】
本発明を、図を用いて以下に詳細に説明する。図１が本発明のスライド式容器１の斜視図であり、図２が本発明のスライド式容器１の断面図である。
【００１３】
本発明のスライド式容器１は、本体２と蓋３から構成され、本体２と蓋３がスライド式に係合し、本体２に対し蓋３がスライドすることで開閉するスライド式構造の容器である。図１（ｂ）に示すように、上記スライド式容器１には２つの収納部が設けられており、第１収納部４が上記本体２に設けられ、第２収納部６が蓋３に設けられている。
【００１４】
図３に示すように、上記本体２の約半分は上記第１収納部４が形成され、残りの半分は、上記蓋３の上記第２収納部６が収容される収容部５が形成されている。上記本体２の略中央には上記第１収納部４と上記収容部５とを仕切る壁１１が設けられている。そして、上記本体２の上記第１収納部４の上方の範囲には開口９が設けられ、上記開口９から上記第１収納部４に収納される収納物等を取り出す、あるいは使用することができる。さらに、上記本体２の側面の、上記収容部５の上記壁１１とは反対側となる部分には上記第２収納部６が出し入れされる開口１６が設けられている。
【００１５】
本実施形態では上記第１収納部４は、仕切り壁１７によって３つのスペースに区切られた内容器１０が嵌め込まれており、これによって、上記第１収納部４には３種類の収納物を入れることができる。上記第１収納部４の形態は特にこれに限定するものではなく、複数の内容器を上記第１収納部４に嵌め込んでもよく、内容器１０を用いない１つのスペースであってもよく、あるいは直接仕切り壁を設ける方法や、さらに複雑に仕切り壁を設けた内容器を用いて、多数のスペースに区切ることも可能である。
【００１６】
図４に示すように、上記蓋３の約半分は、上記第２収納部６として形成され、残りの半分は、上記本体２の上記第１収納部４の蓋となる蓋部７が形成されている。上記蓋部７は上記第２収納部６の側面の上端から水平方向に延伸して形成されている。
【００１７】
次に、上記本体２と上記蓋３とのスライド式の係合について説明する。図３に示すように、上記本体２内側の両側面には溝１５を設けている。上記溝１５は上記蓋部７の両側面を保持し、上記蓋部７が移動可能な大きさで、上記本体２の開口１６から一番奥まで形成されている。これによって、上記本体２に上記開口１６から上記蓋３を挿入する際に上記蓋部７から挿入すると、上記蓋部７の両端部は上記溝１５内へと挿入され、上記蓋部７は上記溝１５に保持された状態で移動する。これによって、上記蓋３は上記本体２に対してスライド式に係合される。スライド式の係合方法についてはこの方法に限定するものではなく、別の方法を用いることも可能である。
【００１８】
上記第１収納部４と上記収容部５との間に設けられた壁１１の上方には、スリット１２が設けられ、上記スリット１２は上記蓋部７が移動可能な大きさに形成されている。これによって、図２（ａ）に示すように、上記蓋３が上記本体２の奥へとスライドした時に、上記蓋部７が上記スリット１２から上記第１収納部４の方へと移動して上記第１収納部４の上方を覆い、上記開口９を塞ぐ状態となる。
【００１９】
上記本体２の両側面の端部の、上記収容部５の開口１６側の部分には、図１に示すような、凹状の切り欠き１３が設けられ、上記蓋３を閉じた時に、上記蓋３の両側面の端部、スライド式容器１を閉じた時に外側に露出される部分の上記第２収納部６の両側面の部分には、上記凹状の切り欠き１３に嵌る凸部２２が設けられている。
【００２０】
上記スライド式容器１が閉じている状態では、図１（ａ）に示すように、上記凸部２２は上記本体２の両側に露出しており、上記凸部２２を持ちながら上記蓋２をスライドさせることで、上記スライド式容器１の開閉動作を容易に行うことが可能となる。上記凸部２２の表面を湾曲形状に形成することで、上記凸部２２を指で摘みやすくしている。
【００２１】
次に、スライド式容器１の開閉について説明する。上記スライド式容器１は閉じた状態では、図１（ａ）に示すように、上記蓋３の蓋部７によって上記開口９が塞がれて、上記第１収納部４は閉じられた状態となる。この時、図２（ａ）に示すように、上記蓋３の第２収納部６は上記本体２の収容部５に収まった状態となり、上記第２収納部６は上記本体２の上面によって閉じられた状態となる。
【００２２】
上記スライド式容器１を開く際には、使用者は例えば左手で本体２を持ち、右手で蓋３の上記凸部２２を摘んで、上記蓋３を本体２から引き出すようにして上記蓋３をスライドさせる。この時、上記蓋部７の両側面が上記本体２に設けられた溝１５内を移動し、上記壁１１の上部に設けられたスリット１２をスライドしながら移動する。すると、図１（ｂ）および図２（ｂ）に示すように、上記開口９が開放されて上記第１収納部４の上方が開いた状態となる。さらに、上記蓋３が外側に移動されるので、上記第２収納部６が上記本体２の外へと出てきて開いた状態となる。
【００２３】
この時、ストッパーを設けておき、上記第２収納部６が完全に露出した状態でスライドが停止するようにしてもよい。ストッパーとしては、例えば、図５に示すような、上記溝１５内に設けた突起２０と上記蓋部７の側面に設けた突起２１が互いに係合し、上記蓋３のスライドを停止させる構造とする。ストッパーの構造に関しては、特にこのような突起に限定するものではなく、また容器の用途によってはストッパーを用いない場合もある。
【００２４】
本発明のスライド式容器１は、上記スライド式容器１を開閉する際の上記蓋３のスライド量は上記スライド式容器１の長さの約半分となる。これは、従来のスライド式容器と較べると半分のスライド量で済むこととなり、このような少ないスライド量であっても２つの収納部、第１収納部４および第２収納部６を完全に開くことができるので、上記スライド式容器１を完全に開いた状態でも、スライド式容器１の大きさは従来の構造よりもコンパクトに収まることになり、開いた状態でも安定性が増し、使い勝手のよいスライド式容器が実現できる。
【００２５】
本発明のスライド式容器１はその用途を特に限定するものではないが、ここでは、コンパクトとして用いる場合についてさらに詳しく説明する。コンパクトとして用いる場合には、上記第１収納部４にアイシャドー等の化粧料を収納し、上記第２収納部にチップ・ブラシ等の化粧小物を収納する。
【００２６】
そして、上記本体２の上面、上記収容部５の上面となる部分に、鏡８を設ける。この鏡８を利用して化粧することができる。また、上記第２収納部６の底面には楕円形の孔１４を設けている。これは、上述のように、第２収納部６に、化粧小物を収納する場合、上記孔１４に指を入れて化粧小物を取り出しやすくする効果がある。
【００２７】
さらに、上記蓋部７を透明とすることで、上記蓋３を閉じた状態で上記第１収納部４の内部を確認できるようにすることも可能である。このようにして、本発明のスライド式容器１をコンパクトとして使用する際の利便性を高めることが可能である。
【００２８】
また、さらに別の形態のコンパクトとして用いる場合についで説明する。図６に示すのがスライド式容器１’の斜視図である。上記スライド式容器１’は、第１収納部４’にチップ・ブラシ等の化粧小物を収納し、第２収納部６’に化粧料を収納する。この場合、蓋部７は特に透明である必要は無く、逆に中身を見えなくするために、不透明としている。
【００２９】
また、上記第１収納部４’に化粧小物を収納するので、上記第１収納部４’の底面に所定の間隔で２つのリブ１８を設けている。２つのリブ１８の間隔は、化粧小物を上記リブ１８に載せた時に、上記化粧小物が傾いたりすることがなく保持できる間隔とする。ここでは上記リブ１８の断面形状を矩形としているが、特に限定するものではなく、三角形あるいは半円形等、様々な形状を用いることができる。
【００３０】
上記リブ１８を設けることにより、化粧小物等を収納する際に向きが整えられ、上記蓋３をスライドさせて閉める際に、化粧小物が挟まることがなくなる。また、上記リブ１８を利用して、化粧小物を取り出す際に化粧小物を傾けることで取り出しやすくなる。
【００３１】
上記第２収納部６’は複数の化粧料を収納するために、中央に仕切り壁１９を設けている。これにより、スライド式容器１’には２種類の化粧料を収納することができる。仕切り壁の形状や個数は適宜変更することが可能であり、内容器を用いることも可能である。
【００３２】
このように、本発明のスライド式容器１は、コンパクトとして用いることでより優れた効果を奏するが、特にこれに限定することなく様々な用途に用いることができ、従来のスライド式容器よりもより使い勝手の良いものとすることができる。
【符号の説明】
【００３３】
１，１’  スライド式容器
２，２’  本体
３，３’  蓋
４，４’  第１収納部
５        収容部
６，６’  第２収納部
７        蓋部
８        鏡
９        開口
１０      内容器
１１      壁
１２      スリット
１３      切り欠き
１４      孔
１５      溝
１６      開口
１７      仕切り壁
１８      リブ
１９      仕切り壁
２０      突起
２１      突起
２２      凸部
【図１】
2010184720.tif 000003
【図２】
2010184720.tif 000004
【図３】
2010184720.tif 000005
【図４】
2010184720.tif 000006
【図５】
2010184720.tif 000007
【図６】
2010184720.tif 000008